(57)【要約】【課題】リモートコントローラの操作性を向上させることが可能な映像装置を提供する。【解決手段】この映像装置１００は、リモートコントローラ１本体の動作を検出する運動検出部１１と、運動検出部１１の検出結果に基づいて動作に関する信号を送信する赤外線送信部１５とを含み、操作ボタンを含まないリモートコントローラ１と、赤外線送信部１５から送信された動作信号を受信する赤外線受信部２０と、動作信号に基づいて、リモートコントローラ１の動作に連動するとともに、複数の選択項目４ｂおよび６ｂを選択可能に表示するメニュアイコン４ａおよび６ａを表示可能な表示画面部２３とを含む液晶テレビジョン２とを備え、リモートコントローラ１の前後方向（Ｘ方向）の動作に基づいて、メニュアイコン４ａの選択項目４ｂおよびメニュアイコン６ａの選択項目６ｂが選択決定されるように構成されている。【選択図】図１０
2010157930.tif 000002
【特許請求の範囲】
【請求項１】
リモートコントローラ本体の動作を検出する運動検出部と、前記運動検出部の検出結果に基づいて前記動作に関する信号を送信する動作信号送信部とを含み、操作ボタンを含まないリモートコントローラと、
前記動作信号送信部から送信された前記動作信号を受信する動作信号受信部と、前記動作信号に基づいて、前記リモートコントローラの動作に連動するとともに、複数の選択項目を選択可能に表示する第１グラフィカルユーザインタフェースを表示可能な表示画面部とを含む映像機器とを備え、
前記リモートコントローラの前後方向の動作に基づいて、前記第１グラフィカルユーザインタフェースの選択項目が選択決定されるように構成されている、映像装置。
【請求項２】
前記第１グラフィカルユーザインタフェースは、前記リモートコントローラの回転運動に連動して、前記表示画面部において前記リモートコントローラの回転方向と同一方向に回転しながら前記複数の選択項目を表示するとともに、前記リモートコントローラの前後方向の動作に基づいて、前記複数の選択項目のいずれかが選択決定されるように構成されている、請求項１に記載の映像装置。
【請求項３】
前記第１グラフィカルユーザインタフェースは、前記リモートコントローラが一定の角速度以上で回転運動された場合に、前記表示画面部において継続して回転するように表示されるとともに、前記第１グラフィカルユーザインタフェースが継続して回転するように表示されている状態において、前記リモートコントローラが前記第１グラフィカルユーザインタフェースの回転方向と逆方向に回転された際に、前記第１グラフィカルユーザインタフェースの回転が停止されるように構成されている、請求項２に記載の映像装置。
【請求項４】
前記表示画面部は、前記第１グラフィカルユーザインタフェースが表示される第１選択画面と、前記第１選択画面において選択決定された前記第１グラフィカルユーザインタフェースの選択項目に対応する複数の第２グラフィカルユーザインタフェースが選択可能に表示される第２選択画面とを表示可能なように構成されており、
前記第１選択画面において、前記リモートコントローラの前後方向の動作に基づいて、前記第１グラフィカルユーザインタフェースの所定の選択項目の選択決定が行われた後、前記第２選択画面において、前記リモートコントローラの前後方向の動作に基づいて、ポインタにより選択された所定の前記第２グラフィカルユーザインタフェースの決定が行われるように構成されている、請求項１〜３のいずれか１項に記載の映像装置。
【請求項５】
前記第１グラフィカルユーザインタフェースが前記表示画面部に表示されていない状態で、前記リモートコントローラの前後方向の動作に基づいて、前記第１グラフィカルユーザインタフェースが前記表示画面部に表示されるように構成されている、請求項１〜４のいずれか１項に記載の映像装置。
【請求項６】
前記リモートコントローラは、スライドさせることによってポインタを前記表示画面部に表示させるためのスライド部をさらに含む、請求項１〜５のいずれか１項に記載の映像装置。
【請求項７】
前記映像機器は、テレビジョン放送を受信するとともに、受信した前記テレビジョン放送を録画可能な記憶部を含むテレビジョンである、請求項１〜６のいずれか１項に記載の映像装置。
【発明の詳細な説明】
【技術分野】
【０００１】
この発明は、映像装置に関し、特に、動作を検出する運動検出部を含むリモートコントローラを備えた映像装置に関する。
【背景技術】
【０００２】
従来、動作を検出する運動検出部を含むリモートコントローラを備えた映像装置が知られている（たとえば、特許文献１〜４参照）。
【０００３】
上記特許文献１には、２軸方向の直線移動を検出する加速度センサおよび３軸方向に対する回転量を検出する地磁気センサからなるモーションコントロールセンサとボタンからなる操作子とモーションコントロールセンサの出力から操作を決定する制御部と操作に関する信号を出力する信号送信部とを含むリモコン装置と、操作に関する信号を受信して信号に対応した処理を行うテレビ受像装置とを備えた音響映像装置が開示されている。この音響映像装置は、ボタンが押下された状態で、リモコン装置の前後方向の直線移動、左右方向の直線移動、Ｘ軸を中心とする回転、Ｙ軸を中心とする回転およびＺ軸を中心とする回転のいずれかがモーションコントロールセンサにより検出されると、テレビ受像装置に対してあらかじめ決められた処理を行うように構成されている。また、この音響映像装置は、ボタンが押下されていない状態においては、テレビ受像装置の操作が行われないように構成されている。
【０００４】
また、上記特許文献２には、Ｘ軸、Ｙ軸およびＺ軸を中心として回転する場合の回転状態をそれぞれ検出するＸ軸角度検出部、Ｙ軸角度検出部およびＺ軸角度検出部と入力ボタンからなる選択部とを含むリモートコントローラと、文字制御部を含むビデオレコーダと、文字が円形状に配置された画面（グラフィカルユーザインタフェース）を表示するテレビジョン受像機とを備えた情報処理装置が開示されている。この情報処理装置では、リモートコントローラから送信されるリモートコントローラの回転状態に応じて、リモートコントローラの回転方向と同一の方向に、選択されている文字が切り替わるとともに、入力ボタンの押下による選択情報に応じて、選択されている文字が選択決定されるように構成されている。
【０００５】
また、上記特許文献３には、角速度を検出する角速度センサと実行スイッチなどのスイッチと制御信号を送信する送信部とを含む送信機（リモートコントローラ）と、カーソルとリング状に配置された選択項目（グラフィカルユーザインタフェース）とを表示させるテレビとを用いるリモートコントロール方式が開示されている。このリモートコントロール方式では、送信機（リモートコントローラ）の回転方向に応じて、送信機の回転方向と同一の方向に、選択されていることを示すカーソルがリング状に配置された選択項目上を移動するとともに、実行スイッチの押下によって、カーソルが位置する選択項目が選択決定されるように構成されている。
【０００６】
また、上記特許文献４には、動きを検出するセンサとメニューボタンと制御部と制御信号にしたがって発光する発光部とを含むリモートコントローラと、発光部からの光を受光する受光部と制御部とオーバレイグラフィック処理部とアイコンからなる操作者インタフェース画面およびポインタが表示される表示部とを用いるリモコンシステムが開示されている。このリモコンシステムでは、メニューボタンを押下することによって、オーバレイグラフィック処理部により表示部に表示されているテレビ画像に重なるように操作者インタフェース画面およびポインタが表示されるとともに、発光部から送信されるリモートコントローラの動きに応じて、リモートコントローラの動きと同一の方向にポインタが移動するように構成されている。そして、メニューボタンを再度押下することによって、ポインタが位置するアイコンが選択決定され、選択されたアイコンに対応する各種機能の実行を指示するように構成されている。
【０００７】
また、従来、表示画面部を含む装置本体に動作を検出する運動検出部を備える装置なども知られている（たとえば、特許文献５参照）。特許文献５には、３軸方向の動きを検出する３軸ジャイロセンサと、操作ボタンが設けられた筐体と、制御部と、カーソルおよびメニュ（グラフィカルユーザインタフェース）を表示するＬＣＤとを備えた情報処理装置（ＰＤＡ）が開示されている。この情報処理装置は、操作ボタンが押下された状態で、３軸ジャイロセンサにより情報処理装置（装置本体）の回動が検出されると、ＬＣＤに表示されたドラム状のメニュが情報処理装置の回動に連動して回動するとともに、操作ボタンの押下が解除されると、ドラム状のメニュの回動が停止され、カーソル内に表示されたメニュ項目が選択決定されるように構成されている。また、この情報処理装置は、操作ボタンが押下されていない状態においては、３軸ジャイロセンサによる情報処理装置の回動は検出されないように構成されている。
【０００８】
【特許文献１】特開２００８−４２７４８号公報
【特許文献２】特開２００４−３４８６１６号公報
【特許文献３】特開平６−３１１５６４号公報
【特許文献４】特開２００６−２８７５８１号公報
【特許文献５】特許第４０００５７０号公報
【発明の開示】
【発明が解決しようとする課題】
【０００９】
しかしながら、上記特許文献１に記載の音響映像装置では、テレビ受像装置に対して処理を行わせるために、ボタンを押下した状態でリモコン装置を回動する必要がある。この際、操作者にとって、ボタンを押下した状態でリモコン装置を大きく回動させにくいという不都合がある。このため、リモコン装置の操作性が悪くなるという問題点があると考えられる。
【００１０】
また、上記特許文献２および３に記載の情報処理装置（リモートコントロール方式）では、選択決定する際に、リモートコントローラ（送信機）の回転状態によっては、入力ボタン（実行スイッチ）が押下しにくい場合があると考えられる。このため、情報処理装置（リモートコントロール方式）の操作性が悪くなるという問題点があると考えられる。
【００１１】
また、上記特許文献４に記載のリモコンシステムでは、選択決定するために、メニューボタンを複数回押下する必要があるため、複数のボタンが設けられている場合などにおいては、ボタンを誤って押下する可能性が高いと考えられる。このため、リモコンシステムの操作性が悪くなるという問題点があると考えられる。
【００１２】
なお、上記特許文献５は、表示画面（ＬＣＤ）を有するＰＤＡなどの情報処理装置本体の動作を検出して表示画面のメニュを連動させるものであり、運動検出部を含むリモートコントローラと、リモートコントローラにより遠隔操作される映像機器とを備える本発明とは前提とする技術が全く異なる。
【００１３】
この発明は、上記のような課題を解決するためになされたものであり、この発明の１つの目的は、リモートコントローラの操作性を向上させることが可能な映像装置を提供することである。
【課題を解決するための手段および発明の効果】
【００１４】
この発明の一の局面による映像装置は、リモートコントローラ本体の動作を検出する運動検出部と、運動検出部の検出結果に基づいて動作に関する信号を送信する動作信号送信部とを含み、操作ボタンを含まないリモートコントローラと、動作信号送信部から送信された動作信号を受信する動作信号受信部と、動作信号に基づいて、リモートコントローラの動作に連動するとともに、複数の選択項目を選択可能に表示する第１グラフィカルユーザインタフェースを表示可能な表示画面部とを含む映像機器とを備え、リモートコントローラの前後方向の動作に基づいて、第１グラフィカルユーザインタフェースの選択項目が選択決定されるように構成されている。
【００１５】
この一の局面による映像装置では、上記のように、操作ボタンを含まないリモートコントローラを用いるとともに、リモートコントローラの動作に連動するように映像機器の表示画面部の第１グラフィカルユーザインタフェースを動かすことによって、操作ボタンを押下することなくリモートコントローラを動かすだけで第１グラフィカルユーザインタフェースを動かすことができる。これにより、リモートコントローラの操作性を向上させることができる。また、リモートコントローラを前後方向に動かすことによって、第１グラフィカルユーザインタフェースの選択項目を選択決定することができるので、操作ボタンを設けることなく第１グラフィカルユーザインタフェースを選択決定することができる。これによっても、リモートコントローラの操作性を向上させることができる。なお、本発明における「グラフィカルユーザインタフェース」は、アイコンに限らず、メニュなども含まれる。また、「前後方向」とは、リモートコントローラと映像機器とを結ぶ線上における方向のことである。
【００１６】
上記一の局面による映像装置において、好ましくは、第１グラフィカルユーザインタフェースは、リモートコントローラの回転運動に連動して、表示画面部においてリモートコントローラの回転方向と同一方向に回転しながら複数の選択項目を表示するとともに、リモートコントローラの前後方向の動作に基づいて、複数の選択項目のいずれかが選択決定されるように構成されている。このように構成すれば、操作者がリモートコントローラを回転させる動作とリモートコントローラを前後方向に動かす動作とを行うことによって、容易に第１グラフィカルユーザインタフェースの選択項目を選択決定することができる。
【００１７】
この場合において、好ましくは、第１グラフィカルユーザインタフェースは、リモートコントローラが一定の角速度以上で回転運動された場合に、表示画面部において継続して回転するように表示されるとともに、第１グラフィカルユーザインタフェースが継続して回転するように表示されている状態において、リモートコントローラが第１グラフィカルユーザインタフェースの回転方向と逆方向に回転された際に、第１グラフィカルユーザインタフェースの回転が停止されるように構成されている。このように構成すれば、リモートコントローラを何度も回転させることなく表示画面部に表示される第１グラフィカルユーザインタフェースを回転させ続けることができるとともに、逆方向の回転動作により容易に第１グラフィカルユーザインタフェースの回転を停止させることができるので、この点でも、リモートコントローラの操作性を向上させることができる。
【００１８】
上記一の局面による映像装置において、好ましくは、表示画面部は、第１グラフィカルユーザインタフェースが表示される第１選択画面と、第１選択画面において選択決定された第１グラフィカルユーザインタフェースの選択項目に対応する複数の第２グラフィカルユーザインタフェースが選択可能に表示される第２選択画面とを表示可能なように構成されており、第１選択画面において、リモートコントローラの前後方向の動作に基づいて、第１グラフィカルユーザインタフェースの所定の選択項目の選択決定が行われた後、第２選択画面において、リモートコントローラの前後方向の動作に基づいて、ポインタにより選択された所定の第２グラフィカルユーザインタフェースの決定が行われるように構成されている。このように構成すれば、第１選択画面と第１選択画面により選択した選択項目を詳細に選択するための第２選択画面との両方において、リモートコントローラの前後方向の動作により、選択項目の選択決定を行うことができるので、リモートコントローラの操作性をより向上させることができる。
【００１９】
上記一の局面による映像装置において、好ましくは、第１グラフィカルユーザインタフェースが表示画面部に表示されていない状態で、リモートコントローラの前後方向の動作に基づいて、第１グラフィカルユーザインタフェースが表示画面部に表示されるように構成されている。このように構成すれば、操作ボタンを設けることなく第１グラフィカルユーザインタフェースを表示画面部に表示させることができるので、これによっても、リモートコントローラの操作性を向上させることができる。
【００２０】
上記一の局面による映像装置において、好ましくは、リモートコントローラは、スライドさせることによってポインタを表示画面部に表示させるためのスライド部をさらに含む。このように構成すれば、スライド部をスライドさせることによってポインタを表示画面部に表示させることができるので、ポインタを表示させるための操作ボタンを設ける必要がない。
【００２１】
上記一の局面による映像装置において、好ましくは、映像機器は、テレビジョン放送を受信するとともに、受信したテレビジョン放送を録画可能な記憶部を含むテレビジョンである。このように構成すれば、テレビジョンを備える映像装置において、操作ボタンを含まないリモートコントローラを用いるとともに、リモートコントローラの動作に連動するように映像機器の表示画面部の第１グラフィカルユーザインタフェースを動かすことによって、操作ボタンを押下することなくリモートコントローラを動かすだけで第１グラフィカルユーザインタフェースを動かすことができる。これにより、テレビジョンのリモートコントローラの操作性を向上させることができる。また、テレビジョンのリモートコントローラを前後方向に動かすことによって、第１グラフィカルユーザインタフェースの選択項目を選択決定することができるので、操作ボタンを設けることなく第１グラフィカルユーザインタフェースを選択決定することができる。これによっても、テレビジョンのリモートコントローラの操作性を向上させることができる。また、テレビジョンに記憶部を設けることによって、外部の録画機器と接続することなく、受信したテレビジョン放送を録画することができる。
【発明を実施するための最良の形態】
【００２２】
以下、本発明を具体化した実施形態を図面に基づいて説明する。
【００２３】
（第１実施形態）
図１は、本発明の第１実施形態による映像装置の全体構成を示した図である。また、図２〜図６は、図１に示した本発明の第１実施形態による映像装置の構成の詳細を示した図である。まず、図１〜図６を参照して、本発明の第１実施形態による映像装置１００の構成について説明する。
【００２４】
本発明の第１実施形態による映像装置１００は、図１に示すように、リモートコントローラ１と、液晶テレビジョン２と、外部映像機器３とを備える。なお、液晶テレビジョン２は、本発明の「映像機器」および「テレビジョン」の一例である。また、リモートコントローラ１は、図２〜図４に示すように、Ｘ方向に延びる六角柱形状を有する筐体１０により構成されている。
【００２５】
また、リモートコントローラ１は、図５に示すように、運動検出部１１と、制御部１２と、記憶部１３と、制御信号生成部１４と、赤外線送信部１５とを含んでいる。なお、図１〜図４に示すように、第１実施形態のリモートコントローラ１には操作ボタンは設けられていない。なお、赤外線送信部１５は、本発明の「動作信号送信部」の一例である。
【００２６】
また、運動検出部１１は、Ｘ軸加速度センサ１１ａ、Ｙ軸加速度センサ１１ｂおよびＺ軸加速度センサ１１ｃからなる。これらＸ軸加速度センサ１１ａ、Ｙ軸加速度センサ１１ｂおよびＺ軸加速度センサ１１ｃは、図２および図４に示すように、それぞれ、筐体１０の内部に収納されている。また、Ｘ軸加速度センサ１１ａ、てＹ軸加速度センサ１１ｂおよびＺ軸加速度センサ１１ｃは、図５に示すように、リモートコントローラ１のＸ方向、Ｙ方向およびＺ方向の動作（加速度）を検出するとともに、検出されたＸ方向、Ｙ方向およびＺ方向の加速度を制御部１２に出力する機能を有する。
【００２７】
また、制御部１２は、Ｘ軸加速度センサ１１ａ、Ｙ軸加速度センサ１１ｂおよびＺ軸加速度センサ１１ｃからそれぞれ出力されたリモートコントローラ１のＸ方向、Ｙ方向およびＺ方向の加速度を記憶部１３に一時的に記憶させるように構成されている。また、制御信号生成部１４は、制御部１２から出力されたリモートコントローラ１のＸ方向、Ｙ方向およびＺ方向の加速度から検知される動作に対応する制御信号を生成して赤外線送信部１５に出力する機能を有する。なお、制御信号は、本発明の「動作信号」の一例である。また、赤外線送信部１５は、赤外線通信によって、制御信号生成部１４から出力された制御信号を外部に向けて発信する機能を有する。
【００２８】
また、液晶テレビジョン２は、図６に示すように、赤外線受信部２０と、制御部２１と、記憶部２２と、表示画面部２３と、ＨＤＤ（Ｈａｒｄ  Ｄｉｓｋ  Ｄｒｉｖｅ）２４と、テレビジョン放送を受信するためのテレビジョン放送受信部２５と、メモリカード３０を挿入可能なスロット２６とを含む。また、赤外線受信部２０は、赤外線送信部１５から発信された制御信号を受信するとともに、制御部２１に制御信号を出力する機能を有する。なお、赤外線受信部２０は、本発明の「動作信号受信部」の一例であり、ＨＤＤ２４は、本発明の「記憶部」の一例である。
【００２９】
また、制御部２１は、赤外線受信部２０から出力された制御信号を処理して、制御信号に対応する後述するメニュアイコン４ａおよび６ａとサムネイル画像５ｂと検索アイコン５ｄ〜５ｇとポインタ５ｈとの動作内容を表示画面部２３に出力する機能を有する。また、記憶部２２には、予め制御信号に関する処理情報が記憶されており、制御部２１によって、制御信号に関する処理情報が読み出されるように構成されている。また、表示画面部２３は、略平面状に形成されており、表示画像４０（図１参照）を表示するとともに、メニュアイコン４ａおよび６ａとサムネイル画像５ｂと検索アイコン５ｄ〜５ｇとポインタ５ｈとを表示するように構成されている。また、ＨＤＤ２４およびメモリカード３０には、複数の表示画像が記憶されており、ＨＤＤ２４およびメモリカード３０は、制御部２１を介して、記憶されている表示画像を表示画面部２３に表示可能なように構成されている。
【００３０】
また、外部映像機器３は、ＤＶＤ（デジタル多用途ディスク）録画再生機３ａと、ＢＤ（Ｂｌｕ−Ｒａｙ  Ｄｉｓｃ）録画再生機３ｂとを含む。また、ＤＶＤ録画再生機３ａおよびＢＤ録画再生機３ｂは、それぞれ、液晶テレビジョン２と接続されている。また、ＤＶＤ録画再生機３ａおよびＢＤ録画再生機３ｂには、ＨＤＤ２４およびメモリカード３０と同様に、それぞれ、複数の表示画像が記憶されており、ＤＶＤ録画再生機３ａおよびＢＤ録画再生機３ｂは、それぞれ、制御部２１を介して、記憶されている表示画像を表示画面部２３に表示可能なように構成されている。
【００３１】
また、図１に示した表示画像４０は、録画画像などであり、複数の表示画像の中の一例である。また、ＨＤＤ２４、メモリカード３０、ＤＶＤ録画再生機３ａおよびＢＤ録画再生機３ｂに記憶されている複数の表示画像は、それぞれ、リモートコントローラ１の動きには反応しない画像である。
【００３２】
図７〜図１６は、本発明の第１実施形態による映像装置の表示画像選択動作を説明するための図である。次に、図７〜図１６を参照して、本発明の第１実施形態による映像装置１００の表示画像選択動作の概略を説明する。
【００３３】
まず、図７に示すように、液晶テレビジョン２の表示画面部２３には、表示画像４０が表示されている。ここで、操作者（図示せず）がリモートコントローラ１を後方向であるＸ１方向に引くことによって、図８に示すように、第１選択画面４として、メニュアイコン４ａが表示画像４０に重なるように表示画面部２３に表示される。なお、メニュアイコン４ａは、本発明の「第１グラフィカルユーザインタフェース」の一例である。
【００３４】
ここで、第１実施形態では、メニュアイコン４ａは、リモートコントローラ１と同一の六角柱形状を有するように表示画面部２３に立体的に表示される。また、六角柱形状のメニュアイコン４ａの６つの側面には、それぞれ、表示画像の選択項目４ｂが表示されている。選択項目４ｂは、たとえば、ＨＤＤ２４、メモリカード３０、ＤＶＤ録画再生機３ａおよびＢＤ録画再生機３ｂなどを含む。また、メニュアイコン４ａの６つの側面の内、表示画面部２３において正面に位置するように表示されている側面は、他の側面と異なった状態で表示されている。これによって、正面に位置する側面に表示されている選択項目４ｂが、現在選択状態にあることを示している。
【００３５】
また、第１実施形態では、図９に示すように、操作者がリモートコントローラ１を長手方向（Ｘ方向）の軸中心回りにＡ方向またはＢ方向に回転させることによって、メニュアイコン４ａは、リモートコントローラ１の動きに同期（連動）して、リモートコントローラ１と同じ方向（Ｃ方向またはＤ方向）に回転するように表示される。この際、メニュアイコン４ａの正面に位置する側面が他の側面に切り替わるように表示される。具体的には、操作者がリモートコントローラ１を右方向（Ａ方向）に回転させることによって、メニュアイコン４ａは一定角度右方向（Ｃ方向）に回転する。これにより、メニュアイコン４ａの正面に位置する側面が左方向（Ｄ方向）側の側面に切り替わるように表示される。また、操作者がリモートコントローラ１を左方向（Ｂ方向）に回転させることによって、メニュアイコン４ａは一定角度左方向（Ｄ方向）に回転する。これにより、メニュアイコン４ａの正面に位置する側面が右方向（Ｃ方向）側の側面に切り替わるように表示される。
【００３６】
また、操作者がリモートコントローラ１を一定の角加速度以上でＡ方向またはＢ方向に回転させることによって、メニュアイコン４ａは、表示画面部２３において、Ｃ方向またはＤ方向に継続的に回転するように表示される。この際、メニュアイコン４ａの正面に位置する側面が他の側面に継続的に切り替わるように表示される。また、メニュアイコン４ａが表示画面部２３において、Ｃ方向またはＤ方向に継続的に回転するように表示されている状態において、操作者がリモートコントローラ１をメニュアイコン４ａの回転方向と逆方向に回転させることによって、メニュアイコン４ａの回転は停止されるように表示される。また、メニュアイコン４ａの回転は停止された際に正面に位置する側面に表示されている選択項目４ｂが選択状態になる。
【００３７】
次に、図１０に示すように、操作者（図示せず）がリモートコントローラ１を後方向であるＸ１方向に引くことによって、メニュアイコン４ａの正面に位置する側面に表示されている選択項目４ｂが選択決定される。なお、第１実施形態では、ＨＤＤ２４に対応する選択項目４ｂが選択決定される例について説明する。また、ＨＤＤ２４に対応する選択項目４ｂが選択決定されることによって、図１１に示すように、表示画面部２３において、表示画像４０（図７参照）の表示が終了して、第１選択画面４からＨＤＤ２４に対応する第２選択画面５に切り替わる。一方、図１０に示すように、操作者がリモートコントローラ１を前方向であるＸ２方向に押すことによって、第１選択画面４が選択解除される。つまり、第１選択画面４が終了し、図７に示すように、表示画面部２３に表示画像４０のみが表示される状態に戻る。
【００３８】
また、図１１に示すように、表示画面部２３において、第２選択画面５の中央に広がる第１表示領域５ａには、複数のサムネイル画像５ｂが表示されている。このサムネイル画像５ｂは、第１選択画面４において選択決定された選択項目４ｂに対応するＨＤＤ２４に記憶されている複数の表示画像の一部にそれぞれ対応する。また、表示画面部２３において、第２選択画面５の上部の第２表示領域５ｃには、ＨＤＤ２４に記憶されている複数の表示画像を検索するための４つの検索アイコン５ｄ〜５ｇが表示されている。この４つの検索アイコン５ｄ〜５ｇは、それぞれ、ＨＤＤ２４に記憶されている複数の表示画像に対する異なる検索方法を表示するように構成されている。具体的には、検索アイコン５ｄ（Ｐｈｏｔｏ）は、ＨＤＤ２４に記憶されている静止画（表示画像）を検索する検索方法を表示するように構成されており、検索アイコン５ｅ（Ｄａｔｅ  Ａｌｌ）は、表示画像を録画した日付によりＨＤＤ２４に記憶されている表示画像を検索する検索方法を表示するように構成されている。また、検索アイコン５ｆ（Ｈｉｓｔｏｒｙ  Ａｌｌ）は、表示履歴によりＨＤＤ２４に記憶されている表示画像を検索する検索方法を表示するように構成されており、検索アイコン５ｇ（Ｔｉｔｌｅ  Ａｌｌ）は、表示画像のタイトルによりＨＤＤ２４に記憶されている表示画像を検索する検索方法を表示するように構成されている。なお、サムネイル画像５ｂおよび検索アイコン５ｄ〜５ｇは、それぞれ、本発明の「第２グラフィカルユーザインタフェース」の一例である。
【００３９】
また、表示画面部２３に第２選択画面５が表示されている状態において、リモートコントローラ１を上方向であるＺ１方向に２度連続して動かすことによって、図１２に示すように、表示画面部２３において、第２選択画面５の略中心にポインタ５ｈが表示される。このポインタ５ｈは、リモートコントローラ１の上下左右方向（ＹＺ方向）への移動に同期して上下左右方向に移動する。
【００４０】
また、図１３に示すように、ポインタ５ｈが、第１表示領域５ａのいずれかのサムネイル画像５ｂに合わされている状態で、操作者（図示せず）がリモートコントローラ１を後方向であるＸ１方向に引くことによって、ポインタ５ｈに合わされているサムネイル画像５ｂが選択決定される。これにより、図１４に示すように、表示画面部２３において、第２選択画面５が終了するとともに、選択決定されたサムネイル画像５ｂに対応する表示画像５０がＨＤＤ２４から読み出されて表示される。
【００４１】
また、図１３および図１５に示すように、第２選択画面５において、操作者がリモートコントローラ１を前方向であるＸ２方向に押すことによって、第２選択画面５が選択解除される。つまり、第２選択画面５が終了して第１選択画面４に戻る。これにより、図８〜図１０に示すように、表示画面部２３において、再度第１選択画面４として、メニュアイコン４ａが表示画像４０に重なるように表示画面部２３に表示される。また、図１５に示すように、ポインタ５ｈが、第２表示領域５ｃのいずれかの検索アイコンに合わされている状態で、操作者（図示せず）がリモートコントローラ１を後方向であるＸ１方向に引くことによって、ポインタ５ｈに合わされている検索アイコン５ｄ〜５ｇのいずれかが選択決定される。なお、第１実施形態では、表示画面を録画した日付によりＨＤＤ２４に記憶されている表示画像を検索する検索方法を表示する検索アイコン５ｅが選択決定された例について説明する。これにより、図１６に示すように、表示画面部２３において、第２選択画面５から第３選択画面６に切り替わる。これにより、選択決定された検索アイコン５ｅが表示されなくなるとともに、第２選択画面５の上に重なるように、選択決定された検索アイコン５ｅに対応するメニュアイコン６ａが表示される。つまり、表示画面を録画した日付によりＨＤＤ２４に記憶されている表示画像を検索するためのメニュアイコン６ａが表示される。
【００４２】
また、第１実施形態では、図１６に示すように、メニュアイコン６ａは、メニュアイコン４ａと略同一の形状を有するとともに、略同一の動作を行う。具体的には、メニュアイコン６ａは、リモートコントローラ１と同一の形状を有するように表示画面部２３に表示される。つまり、メニュアイコン６ａは、表示画面部２３に六角柱形状を有するように立体的に表示される。また、メニュアイコン６ａの６つの側面には、それぞれ、選択決定された検索アイコン５ｅに対応する選択項目６ｂが表示されている。たとえば、表示画面を録画した日付によりＨＤＤ２４に記憶されている表示画像を検索するためのメニュアイコン６ａの場合では、「Ａｌｌ（全日付）」、「Ｔｈｉｓ  Ｍｏｎｔｈ（今月）」および「Ｌａｓｔ  Ｍｏｎｔｈ（先月）」などの選択項目６ｂがメニュアイコン６ａの６つの側面にそれぞれ表示される。また、正面に位置する側面に表示されている選択項目６ｂが、現在選択状態にあることを示している。なお、メニュアイコン６ａは、本発明の「第１グラフィカルユーザインタフェース」の一例である。
【００４３】
また、操作者がリモートコントローラ１を右方向（Ａ方向）に回転させることによって、表示画面部２３においてメニュアイコン６ａは一定角度右方向（Ｅ方向）に回転するように表示される。これにより、メニュアイコン６ａの正面に位置する側面が左方向（Ｆ方向）側の側面に切り替わるように表示される。また、操作者がリモートコントローラ１を左方向（Ｂ方向）に回転させることによって、表示画面部２３においてメニュアイコン６ａは一定角度左方向（Ｆ方向）に回転するように表示される。これにより、メニュアイコン６ａの正面に位置する側面が右方向（Ｅ方向）側の側面に切り替わるように表示される。
【００４４】
また、操作者がリモートコントローラ１を一定の角加速度以上でＡ方向またはＢ方向に回転させることによって、メニュアイコン６ａは、表示画面部２３において、Ｅ方向またはＦ方向に継続的に回転するように表示される。また、メニュアイコン６ａが表示画面部２３において、Ｅ方向またはＦ方向に継続的に回転するように表示されている状態において、操作者がリモートコントローラ１をメニュアイコン６ａの回転方向と逆方向に回転させることによって、メニュアイコン６ａの回転は停止される。また、メニュアイコン６ａの回転は停止された際に正面に位置する側面に表示されている選択項目６ｂが選択状態になる。
【００４５】
また、操作者（図示せず）がリモートコントローラ１を後方向であるＸ１方向に引くことによって、メニュアイコン６ａの正面に位置する側面に表示されている選択項目６ｂが選択決定されるとともに、選択決定された選択項目６ｂに対応する検索が行われる。たとえば、「Ｌａｓｔ  Ｍｏｎｔｈ（先月）」を選択決定すると、先月の日付の表示画像について検索が行われる。これにより、図１１に示すように、表示画面部２３において、検索によって得られた結果が第１表示領域５ａにサムネイル画像５ｂとして表示される。一方、図１６に示すように、操作者がリモートコントローラ１を前方向であるＸ２方向に押すことによって、図１１に示すように、第３選択画面６が選択解除される。つまり、第３選択画面６から第２選択画面５に切り替わる。これにより、表示画面部２３において、メニュアイコン６ａが表示されなくなり、第２選択画面５が表示される状態に戻る。
【００４６】
図１７は、本発明の第１実施形態による映像装置のリモートコントローラの制御フローを説明するための図である。次に、図１７を参照して、本発明の第１実施形態による映像装置１００のリモートコントローラ１の画像選択動作における制御フローを説明する。
【００４７】
まず、図１７に示すように、ステップＳ１において、Ｘ軸加速度センサ１１ａに反応があったか否かが判断される。つまり、リモートコントローラ１がＸ方向に移動したか否か判断される。そして、ステップＳ１において、Ｘ軸加速度センサ１１ａに反応があったと判断された場合には、ステップＳ２に進み、Ｘ軸加速度センサ１１ａの情報（加速度データ）が記憶部１３に一時的に記憶される。そして、ステップＳ３に進む。また、ステップＳ１において、Ｘ軸加速度センサ１１ａに反応がなかったと判断された場合には、ステップＳ３に進む。
【００４８】
次に、ステップＳ３において、Ｙ軸加速度センサ１１ｂに反応があったか否かが判断される。つまり、リモートコントローラ１がＹ方向に移動したか否か判断される。そして、ステップＳ３において、Ｙ軸加速度センサ１１ｂに反応があったと判断された場合には、ステップＳ４に進み、Ｙ軸加速度センサ１１ｂの情報（加速度データ）が記憶部１３に一時的に記憶される。そして、ステップＳ５に進む。また、ステップＳ３において、Ｙ軸加速度センサ１１ｂに反応がなかったと判断された場合には、ステップＳ５に進む。
【００４９】
さらに、ステップＳ５において、Ｚ軸加速度センサ１１ｃに反応があったか否かが判断される。つまり、リモートコントローラ１がＺ方向に移動したか否か判断される。そして、ステップＳ５において、Ｚ軸加速度センサ１１ｃに反応があったと判断された場合には、ステップＳ６に進み、Ｚ軸加速度センサ１１ｃの情報（加速度データ）が記憶部１３に一時的に記憶される。そして、ステップＳ７に進む。また、ステップＳ５において、Ｚ軸加速度センサ１１ｃに反応がなかったと判断された場合には、ステップＳ７に進む。
【００５０】
そして、ステップＳ７において、記憶部１３にＸ軸加速度センサ１１ａの情報、Ｙ軸加速度センサ１１ｂの情報およびＺ軸加速度センサ１１ｃの情報が記憶されているか否かが判断される。そして、ステップＳ７において、記憶部１３にＸ軸加速度センサ１１ａの情報、Ｙ軸加速度センサ１１ｂの情報およびＺ軸加速度センサ１１ｃの情報のうち少なくとも１つ以上の情報が記憶されていると判断された場合には、ステップＳ８に進み、リモートコントローラ１のＸ方向、Ｙ方向およびＺ方向の加速度から検知される動作に対応する制御信号が制御信号生成部１４において生成され、赤外線送信部１５に出力される。そして、ステップＳ９に進み、制御信号が赤外線送信部１５から外部に向けて発信される。そして、リモートコントローラ１の制御が終了される。また、ステップＳ７において、記憶部１３にＸ軸加速度センサ１１ａの情報、Ｙ軸加速度センサ１１ｂの情報およびＺ軸加速度センサ１１ｃの情報のうちいずれの情報も記憶されていないと判断された場合には、リモートコントローラ１の制御が終了される。
【００５１】
図１８〜図２０は、本発明の第１実施形態による映像装置の液晶テレビジョンの制御フローを説明するための図である。次に、図７、図１４および図１８〜図２０を参照して、本発明の第１実施形態による映像装置１００の液晶テレビジョン２の画像選択動作における制御フローを説明する。
【００５２】
まず、図１８に示すように、ステップＳ２０において、赤外線受信部２０が赤外線送信部１５から発信された制御信号を受信したか否かが判断される。そして、ステップＳ２０において、赤外線受信部２０が赤外線送信部１５から発信された制御信号を受信したと判断された場合には、ステップＳ２１に進む。また、ステップＳ２０において、赤外線受信部２０が赤外線送信部１５から発信された制御信号を受信していないと判断された場合には、赤外線受信部２０が赤外線送信部１５から発信された制御信号を受信したと判断されるまで、この処理を繰り返す。
【００５３】
次に、ステップＳ２１において、表示画面部２３に第１選択画面４、第２選択画面５および第３選択画面６のいずれかが表示されているか否かが判断される。そして、ステップＳ２１において、表示画面部２３に第１選択画面４、第２選択画面５および第３選択画面６のいずれかが表示されていると判断された場合には、ステップＳ２２に進む。また、ステップＳ２１において、表示画面部２３に第１選択画面４、第２選択画面５および第３選択画面６のいずれも表示されていないと判断された場合には、ステップＳ２３に進む。
【００５４】
次に、ステップＳ２２において、表示画面部２３に表示されている選択画面が、第１選択画面４であるか否かが判断される。そして、ステップＳ２２において、表示画面部２３に表示されている選択画面が、第１選択画面４であると判断された場合には、ステップＳ２４に進む。また、ステップＳ２２において、表示画面部２３に表示されている選択画面が、第１選択画面４でないと判断された場合には、ステップＳ４３（図１９参照）に進む。
【００５５】
また、ステップＳ２３において、赤外線受信部２０が受信した制御信号が、リモートコントローラ１の後方向であるＸ１方向に引かれた動きについてであるか否かが判断される。そして、ステップＳ２３において、リモートコントローラ１が後方向に引かれたと判断された場合には、ステップＳ２５に進み、第１選択画面４として、メニュアイコン４ａが表示画像４０に重なるように表示画面部２３に表示される。その後、ステップＳ２４に進む。また、ステップＳ２３において、リモートコントローラ１が後方向に引かれていないと判断された場合には、液晶テレビジョン２の制御が終了される。
【００５６】
次に、ステップＳ２４において、赤外線受信部２０が受信した制御信号が、リモートコントローラ１のＹＺ平面上の回転運動についてであるか否かが判断される。そして、ステップＳ２４において、リモートコントローラ１が回転運動したと判断された場合には、ステップＳ２６に進む。また、ステップＳ２４において、リモートコントローラ１が回転運動していないと判断された場合には、ステップＳ３７に進む。
【００５７】
次に、ステップＳ２６において、リモートコントローラ１が右（Ａ方向）回転したか否かが判断される。そして、ステップＳ２６において、リモートコントローラ１が右回転したと判断された場合には、ステップＳ２７に進む。また、ステップＳ２６において、リモートコントローラ１が左（Ｂ方向）回転したと判断された場合には、ステップＳ３２に進む。
【００５８】
次に、ステップＳ２７において、表示画面部２３において、メニュアイコン４ａが継続的に左回転しているか否かが判断される。そして、ステップＳ２７において、メニュアイコン４ａが継続的に左（Ｄ方向）回転していると判断された場合には、ステップＳ２８に進み、表示画面部２３において、メニュアイコン４ａの左回転が停止される。そして、液晶テレビジョン２の制御が終了される。また、ステップＳ２７において、メニュアイコン４ａが継続的に左回転していないと判断された場合には、ステップＳ２９に進む。
【００５９】
また、ステップＳ２９において、リモートコントローラ１が一定の角加速度以上で右回転したか否かが判断される。そして、ステップＳ２９において、リモートコントローラ１が一定の角加速度以上で右回転したと判断された場合には、ステップＳ３０に進み、表示画面部２３において、メニュアイコン４ａが継続的に右（Ｃ方向）回転する。そして、液晶テレビジョン２の制御が終了される。また、ステップＳ２９において、リモートコントローラ１が一定の角加速度よりも小さい角加速度で右回転したと判断された場合には、ステップＳ３１に進み、メニュアイコン４ａが一定角度（６０度）右回転する。そして、液晶テレビジョン２の制御が終了される。
【００６０】
次に、ステップＳ３２において、表示画面部２３において、メニュアイコン４ａが継続的に右回転しているか否かが判断される。そして、ステップＳ３２において、メニュアイコン４ａが継続的に右回転していると判断された場合には、ステップＳ３３に進み、表示画面部２３において、メニュアイコン４ａの右回転が停止される。そして、液晶テレビジョン２の制御が終了される。また、ステップＳ３２において、メニュアイコン４ａが継続的に右回転していないと判断された場合には、ステップＳ３４に進む。
【００６１】
また、ステップＳ３４において、リモートコントローラ１が一定の角加速度以上で左回転したか否かが判断される。そして、ステップＳ３４において、リモートコントローラ１が一定の角加速度以上で左回転したと判断された場合には、ステップＳ３５に進み、表示画面部２３において、メニュアイコン４ａが継続的に左回転する。そして、液晶テレビジョン２の制御が終了される。また、ステップＳ３４において、リモートコントローラ１が一定の角加速度よりも小さい角加速度で左回転したと判断された場合には、ステップＳ３６に進み、メニュアイコン４ａが一定角度（６０度）左回転する。そして、液晶テレビジョン２の制御が終了される。
【００６２】
また、ステップＳ３７において、赤外線受信部２０が受信した制御信号が、リモートコントローラ１のＸ軸上の前後移動についてであるか否かが判断される。そして、ステップＳ３７において、リモートコントローラ１が前後移動したと判断された場合には、ステップＳ３８に進む。また、ステップＳ３７において、リモートコントローラ１が前後移動していないと判断された場合には、液晶テレビジョン２の制御が終了される。
【００６３】
次に、ステップＳ３８において、リモートコントローラ１が前方向であるＸ２方向に押されたか否かが判断される。そして、ステップＳ３８において、リモートコントローラ１が前方向であるＸ２方向に押されたと判断された場合には、ステップＳ３９に進み、第１選択画面４が選択解除され、第１選択画面４が終了し、表示画面部２３において、表示画像４０のみが表示される状態に戻る。そして、液晶テレビジョン２の制御が終了される。また、ステップＳ３８において、リモートコントローラ１が後方向であるＸ１方向に引かれたと判断された場合には、ステップＳ４０に進み、メニュアイコン４ａの正面に位置する側面に表示されている選択項目４ｂが選択決定される。そして、ステップＳ４１に進み、第１選択画面４が終了し、表示画像４０（図７参照）の表示が終了される。そして、ステップＳ４２に進み、第２選択画面５が表示される。そして、液晶テレビジョン２の制御が終了される。
【００６４】
また、図１９に示すように、ステップＳ４３において、表示画面部２３に表示されている選択画面が、第２選択画面５であるか否かが判断される。そして、ステップＳ４３において、表示画面部２３に表示されている選択画面が、第２選択画面５であると判断された場合には、ステップＳ４４に進む。また、ステップＳ４３において、表示画面部２３に表示されている選択画面が、第３選択画面６であると判断された場合には、ステップＳ６０（図２０参照）に進む。
【００６５】
次に、ステップＳ４４において、表示画面部２３において、ポインタ５ｈが表示されているか否かが判断される。そして、ステップＳ４４において、ポインタ５ｈが表示されていると判断された場合には、ステップＳ４５に進む。また、ステップＳ４４において、ポインタ５ｈが表示されていないと判断された場合には、ステップＳ４６に進み、ステップＳ４６において、リモートコントローラ１が上方向に２度連続して動かされたか否かが判断される。そして、ステップＳ４６において、リモートコントローラ１が上方向に２度連続して動かされたと判断された場合には、ステップＳ４７に進み、表示画面部２３において、ポインタ５ｈが表示される。そして、ステップＳ４５に進む。また、ステップＳ４６において、リモートコントローラ１が上方向に２度連続して動かされていないと判断された場合には、液晶テレビジョン２の制御が終了される。
【００６６】
次に、ステップＳ４５において、赤外線受信部２０が受信した制御信号が、リモートコントローラ１のＹ軸およびＺ軸上の上下左右運動についてであるか否かが判断される。そして、ステップＳ４５において、リモートコントローラ１が上下左右に動かされたと判断された場合には、ステップＳ４８に進み、リモートコントローラ１の上下左右方向への移動に同期して、表示画面部２３において、ポインタ５ｈが上下左右方向に移動するように表示される。そして、液晶テレビジョン２の制御が終了される。また、ステップＳ４５において、リモートコントローラ１が前後方向（Ｘ方向）に動かされたと判断された場合には、ステップＳ４９に進む。
【００６７】
次に、ステップＳ４９において、リモートコントローラ１が前方向であるＸ２方向に押されたか否かが判断される。そして、ステップＳ４９において、リモートコントローラ１が前方向であるＸ２方向に押されたと判断された場合には、第２選択画面５が選択解除され、ステップＳ５０に進み、表示画面部２３において、第２選択画面５が終了し、ステップＳ５１に進み、第１選択画面４に戻る。そして、液晶テレビジョン２の制御が終了される。また、ステップＳ４９において、リモートコントローラ１が後方向であるＸ１方向に引かれたと判断された場合には、ステップＳ５２に進む。
【００６８】
次に、ステップＳ５２において、ポインタ５ｈが、サムネイル画像５ｂのいずれか１つに合わされているか否かが判断される。つまり、ポインタ５ｈがサムネイル画像５ｂのいずれかを選択しているか否かが判断される。そして、ステップＳ５２において、ポインタ５ｈがサムネイル画像５ｂのいずれかを選択していると判断された場合には、ステップＳ５３に進み、ポインタ５ｈに選択されているサムネイル画像５ｂが選択決定される。そして、ステップＳ５４に進み、第２選択画面５が終了し、ステップＳ５５に進み、表示画面部２３において、選択決定されたサムネイル画像５ｂに関する表示画像５０（図１４参照）が読み出されて表示される。そして、液晶テレビジョン２の制御が終了される。また、ステップＳ５２において、ポインタ５ｈが、サムネイル画像５ｂのいずれにも合わされていないと判断された場合には、ステップＳ５６に進む。
【００６９】
次に、ステップＳ５６において、ポインタ５ｈが、検索アイコン５ｄ〜５ｇのいずれか１つに合わされているか否かが判断される。つまり、ポインタ５ｈが検索アイコン５ｄ〜５ｇのいずれかを選択しているか否かが判断される。そして、ステップＳ５６において、ポインタ５ｈが検索アイコン５ｄ〜５ｇのいずれかを選択していると判断された場合には、ステップＳ５７に進み、ポインタ５ｈに選択されている検索アイコン５ｄ〜５ｇが選択決定される。そして、ステップＳ５８に進み、第２選択画面５が終了し、ステップＳ５９に進み、表示画面部２３において、第３選択画面６が表示される。そして、液晶テレビジョン２の制御が終了される。また、ステップＳ５６において、ポインタ５ｈが検索アイコン５ｄ〜５ｇのいずれも選択していないと判断された場合には、液晶テレビジョン２の制御が終了される。
【００７０】
また、図２０に示すように、ステップＳ６０において、赤外線受信部２０が受信した制御信号が、リモートコントローラ１のＹＺ平面上の回転運動についてであるか否かが判断される。そして、ステップＳ６０において、リモートコントローラ１が回転運動したと判断された場合には、ステップＳ６１に進む。また、ステップＳ６０において、リモートコントローラ１が回転運動していないと判断された場合には、ステップＳ６２に進む。
【００７１】
次に、ステップＳ６１において、リモートコントローラ１が右（Ａ方向）回転したか否かが判断される。そして、ステップＳ６１において、リモートコントローラ１が右回転したと判断された場合には、ステップＳ６３に進む。また、ステップＳ６１において、リモートコントローラ１が左（Ｂ方向）回転したと判断された場合には、ステップＳ６８に進む。
【００７２】
次に、ステップＳ６３において、表示画面部２３において、メニュアイコン６ａが継続的に左（Ｆ方向）回転しているか否かが判断される。そして、ステップＳ６３において、メニュアイコン６ａが継続的に左回転していると判断された場合には、ステップＳ６４に進み、表示画面部２３において、メニュアイコン６ａの左回転が停止される。そして、液晶テレビジョン２の制御が終了される。また、ステップＳ６３において、メニュアイコン６ａが継続的に左回転していないと判断された場合には、ステップＳ６５に進む。
【００７３】
また、ステップＳ６５において、リモートコントローラ１が一定の角加速度以上で右（Ｅ方向）回転したか否かが判断される。そして、ステップＳ６５において、リモートコントローラ１が一定の角加速度以上で右回転したと判断された場合には、ステップＳ６６に進み、表示画面部２３において、メニュアイコン６ａが継続的に右回転する。そして、液晶テレビジョン２の制御が終了される。また、ステップＳ６５において、リモートコントローラ１が一定の角加速度よりも小さい角加速度で右回転したと判断された場合には、ステップＳ６７に進み、メニュアイコン６ａが一定角度（６０度）右回転する。そして、液晶テレビジョン２の制御が終了される。
【００７４】
また、ステップＳ６８において、表示画面部２３において、メニュアイコン６ａが継続的に右回転しているか否かが判断される。そして、ステップＳ６８において、メニュアイコン６ａが継続的に右回転していると判断された場合には、ステップＳ６９に進み、表示画面部２３において、メニュアイコン６ａの右回転が停止される。そして、液晶テレビジョン２の制御が終了される。また、ステップＳ６８において、メニュアイコン６ａが継続的に右回転していないと判断された場合には、ステップＳ７０に進む。
【００７５】
また、ステップＳ７０において、リモートコントローラ１が一定の角加速度以上で左回転したか否かが判断される。そして、ステップＳ７０において、リモートコントローラ１が一定の角加速度以上で左回転したと判断された場合には、ステップＳ７１に進み、表示画面部２３において、メニュアイコン６ａが継続的に左回転する。そして、液晶テレビジョン２の制御が終了される。また、ステップＳ７０において、リモートコントローラ１が一定の角加速度よりも小さい角加速度で左回転したと判断された場合には、ステップＳ７２に進み、メニュアイコン６ａが一定角度（６０度）左回転する。そして、液晶テレビジョン２の制御が終了される。
【００７６】
また、ステップＳ６２において、赤外線受信部２０が受信した制御信号が、リモートコントローラ１のＸ軸上の前後移動についてであるか否かが判断される。そして、ステップＳ６２において、リモートコントローラ１が前後移動したと判断された場合には、ステップＳ７３に進む。また、ステップＳ６２において、リモートコントローラ１が前後移動していないと判断された場合には、液晶テレビジョン２の制御が終了される。
【００７７】
次に、ステップＳ７３において、リモートコントローラ１が前方向であるＸ２方向に押されたか否かが判断される。そして、ステップＳ７３において、リモートコントローラ１が前方向であるＸ２方向に押されたと判断された場合には、第３選択画面６が選択解除され、ステップＳ７４に進み、第３選択画面６が終了し、ステップＳ７５に進み、表示画面部２３において、第２選択画面５が表示される状態に戻る。そして、液晶テレビジョン２の制御が終了される。また、ステップＳ７３において、リモートコントローラ１が後方向であるＸ１方向に引かれたと判断された場合には、ステップＳ７６に進み、メニュアイコン６ａの正面に位置する側面に表示されている選択項目６ｂが選択決定される。そして、ステップＳ７７に進み、選択決定された選択項目６ｂに対応する検索が行われる。そして、ステップＳ７８に進み、表示画面部２３において、検索によって得られた結果が第１表示領域５ａにサムネイル画像５ｂとして表示される。そして、液晶テレビジョン２の制御が終了される。
【００７８】
第１実施形態では、上記のように、操作ボタンを含まないリモートコントローラ１を用いるとともに、リモートコントローラ１の動作に連動するように液晶テレビジョン２の表示画面部２３のメニュアイコン４ａおよび６ａを動かすことによって、操作ボタンを押下することなくリモートコントローラ１を動かすだけでメニュアイコン４ａおよび６ａを動かすことができる。これにより、リモートコントローラ１の操作性を向上させることができる。また、リモートコントローラ１の前後方向（Ｘ方向）の動きによって、選択されているメニュアイコン４ａの選択項目４ｂおよびメニュアイコン６ａの選択項目６ｂとサムネイル画像５ｂと検索アイコン５ｄ〜５ｇとが選択決定されるように構成することによって、操作ボタンを設けることなくメニュアイコン４ａの選択項目４ｂおよびメニュアイコン６ａの選択項目６ｂとサムネイル画像５ｂと検索アイコン５ｄ〜５ｇとを選択決定することができる。また、略平面状の表示画面部２３においては、メニュアイコン４ａの選択項目４ｂおよびメニュアイコン６ａの選択項目６ｂとサムネイル画像５ｂと検索アイコン５ｄ〜５ｇとをリモートコントローラ１の前後方向の動きに同期（連動）させて動かす機会が少ないので、その他の方向にリモートコントローラ１を動かす場合と比べて、より確実に、メニュアイコン４ａの選択項目４ｂおよびメニュアイコン６ａの選択項目６ｂとサムネイル画像５ｂと検索アイコン５ｄ〜５ｇとを選択決定することができる。
【００７９】
また、第１実施形態では、上記のように、操作者がリモートコントローラ１を長手方向（Ｘ方向）の軸中心回りにＡ方向またはＢ方向に回転させることにより、メニュアイコン４ａおよび６ａを、リモートコントローラ１の動きに同期（連動）して、リモートコントローラ１と同じ方向（Ｃ方向またはＤ方向）に回転するように表示することによって、操作者がリモートコントローラ１を回転させる動作とリモートコントローラ１を前後方向（Ｘ方向）に動かす動作とを行うことによって、容易にメニュアイコン４ａの選択項目４ｂおよびメニュアイコン６ａの選択項目６ｂを選択決定することができる。
【００８０】
また、第１実施形態では、上記のように、操作者がリモートコントローラ１を長手方向（Ｘ方向）の軸中心回りにＡ方向またはＢ方向に回転させることによって、メニュアイコン４ａおよび６ａを、リモートコントローラ１と同じ方向（Ｃ方向またはＤ方向）に継続的に回転するように表示するとともに、メニュアイコン４ａおよび６ａが表示画面部２３において継続的に回転するように表示されている状態において、操作者がリモートコントローラ１をメニュアイコン４ａおよび６ａの回転方向と逆方向に回転させることによって、メニュアイコン４ａおよび６ａの回転を停止するように構成することによって、リモートコントローラ１を何度も回転させることなく表示画面部２３に表示されるメニュアイコン４ａおよび６ａを回転させ続けることができるとともに、逆方向の回転動作により容易にメニュアイコン４ａおよび６ａの回転を停止させることができるので、この点でも、リモートコントローラ１の操作性を向上させることができる。
【００８１】
また、第１実施形態では、上記のように、表示画面部２３を、リモートコントローラ１の六角柱形状に対応するように六角柱形状を有するように表示されたメニュアイコン４ａが表示される第１選択画面４を表示可能なように構成することによって、メニュアイコン４ａが立体的に表示されるとともに、メニュアイコン４ａの形状とリモートコントローラ１の形状とが対応するので、操作者に対して、より直感的な操作感を十分に与えることができる。また、第２選択画面５において、ポインタ５ｈによって、サムネイル画像５ｂおよび検索アイコン５ｄ〜５ｇが選択されるように構成することによって、確実に、操作者にサムネイル画像５ｂおよび検索アイコン５ｄ〜５ｇを選択させることができる。
【００８２】
また、第１実施形態では、上記のように、第１選択画面４において、リモートコントローラ１の前後方向（Ｘ方向）の動作に基づいて、メニュアイコン４ａの所定の選択項目４ｂの選択決定が行われた後、第２選択画面５において、リモートコントローラ１の前後方向の動作に基づいて、ポインタ５ｈにより選択された所定のサムネイル画像５ｂおよび検索アイコン５ｄ〜５ｇの決定が行われるように構成することによって、第１選択画面４と第１選択画面４により選択した選択項目４ｂを詳細に選択するための第２選択画面５との両方において、リモートコントローラ１の前後方向の動作により、選択項目４ｂの選択決定を行うことができるので、リモートコントローラ１の操作性をより向上させることができる。
【００８３】
また、第１実施形態では、上記のように、操作者がリモートコントローラ１を後方向であるＸ１方向に引くことによって、第１選択画面４において、メニュアイコン４ａを表示画像４０に重なるように表示画面部２３に表示するように構成することによって、操作ボタンを設けることなくメニュアイコン４ａを表示画面部２３に表示させることができるので、これによっても、リモートコントローラ１の操作性を向上させることができる。
【００８４】
また、第１実施形態では、上記のように、液晶テレビジョン２にＨＤＤ２４を設けることによって、外部の録画機器などと接続することなく、受信したテレビジョン放送を録画することができる。
【００８５】
（第２実施形態）
図２１は、本発明の第２実施形態による映像装置の全体構成を示した図である。図２２〜図２４は、図２１に示した本発明の第２実施形態による映像装置の構成の詳細を示した図である。図２１〜図２４を参照して、この第２実施形態による映像装置２００では、上記第１実施形態と異なり、リモートコントローラ２０１にスライド部２１６が設けられている場合について説明する。
【００８６】
本発明の第２実施形態による映像装置２００のリモートコントローラ２０１は、図２１〜図２３に示すように、Ｘ方向に延びる六角柱形状を有する筐体２１０により構成されている。さらに、リモートコントローラ２０１には、筐体２１０のＸ２方向側に、Ｘ２方向にスライド可能なスライド部２１６がさらに設けられている。このスライド部２１６は、図２４に示すように、Ｘ２方向にスライドされた場合に、スライド状態であるという信号を制御部１２に出力するように構成されている。なお、リモートコントローラ２０１には操作ボタンは設けられていない。なお、第２実施形態のその他の構造は、第１実施形態と同様である。
【００８７】
図２５および図２６は、本発明の第２実施形態による映像装置の表示画像選択動作を説明するための図である。次に、図２５および図２６を参照して、本発明の第２実施形態による映像装置２００の表示画像選択動作の概略を説明する。
【００８８】
第２実施形態による映像装置２００の表示画像選択動作において、図２５に示すように、第２選択画面５において、リモートコントローラ２０１のスライド部２１６を前方向であるＸ２方向にスライドさせることによって、図２６に示すように、表示画面部２３において、第２選択画面５の略中心にポインタ５ｈが表示される。このポインタ５ｈは、リモートコントローラ１の上下左右方向（ＹＺ方向）への移動に同期（連動）して上下左右方向に移動するように表示されるとともに、スライド部２１６のＸ２方向へのスライドを終了することによって、第２選択画面５に表示されているポインタ５ｈが表示されなくなる。なお、第２実施形態のその他の表示画像選択動作は、第１実施形態と同様である。
【００８９】
図２７は、本発明の第２実施形態による映像装置のリモートコントローラの制御フローを説明するための図である。次に、図２７を参照して、本発明の第２実施形態による映像装置２００のリモートコントローラ２０１の画像選択動作における制御フローを説明する。
【００９０】
第２実施形態による映像装置２００のリモートコントローラ２０１では、図２７に示すように、ステップＳ７において、記憶部１３にＸ軸加速度センサ１１ａの情報、Ｙ軸加速度センサ１１ｂの情報およびＺ軸加速度センサ１１ｃの情報のうち少なくとも１つ以上の情報が記憶されていると判断された場合には、ステップＳ８に進み、リモートコントローラ２０１のＸ方向、Ｙ方向およびＺ方向の加速度から検知される動作に対応する制御信号が制御信号生成部１４において生成され、赤外線送信部１５に出力される。そして、ステップＳ２１０に進む。また、ステップＳ７において、記憶部１３にＸ軸加速度センサ１１ａの情報、Ｙ軸加速度センサ１１ｂの情報およびＺ軸加速度センサ１１ｃの情報のうちいずれの情報も記憶されていないと判断された場合には、ステップＳ２１０に進む。
【００９１】
次に、ステップＳ２１０において、リモートコントローラ２０１のスライド部２１６がＸ２方向にスライドしているか否かが判断される。そして、ステップＳ２１０において、スライド部２１６がスライドしていると判断された場合には、ステップＳ２１１に進み、スライド状態であることを示すスライド信号が制御信号生成部１４において生成され、赤外線送信部１５に出力される。そして、ステップＳ２１２に進む。また、ステップＳ２１０において、スライド部２１６がスライドしていないと判断された場合には、ステップＳ２１２に進む。
【００９２】
次に、ステップＳ２１２において、リモートコントローラ２０１の制御信号生成部１４において、制御信号およびスライド信号が生成されたか否かが判断される。そして、ステップＳ２１２において、制御信号およびスライド信号の少なくとも１つが生成されたと判断された場合には、ステップＳ２０９に進み、生成された制御信号およびスライド信号が赤外線送信部１５から外部に向けて発信される。そして、リモートコントローラ２０１の制御が終了される。また、ステップＳ２１２において、制御信号およびスライド信号が生成されていないと判断された場合には、リモートコントローラ２０１の制御が終了される。なお、第２実施形態のリモートコントローラ２０１のその他の制御は、第１実施形態と同様である。
【００９３】
図２８は、本発明の第２実施形態による映像装置の液晶テレビジョンの制御フローを説明するための図である。次に、図２８を参照して、本発明の第２実施形態による映像装置２００の液晶テレビジョン２の画像選択動作における制御フローを説明する。
【００９４】
第２実施形態による映像装置２００の液晶テレビジョン２では、図２８に示すように、ステップＳ４３において、表示画面部２３に表示されている選択画面が、第２選択画面５であるか否かが判断される。そして、ステップＳ４３において、表示画面部２３に表示されている選択画面が、第２選択画面５であると判断された場合には、ステップＳ２９０に進む。
【００９５】
次に、ステップＳ２９０において、赤外線受信部２０がスライド信号を受信したか否かが判断される。そして、ステップＳ２９０において、赤外線受信部２０がスライド信号を受信したと判断された場合には、ステップＳ２４７に進み、表示画面部２３において、ポインタ５ｈが表示される。そして、ステップＳ４５に進む。また、ステップＳ２９０において、赤外線受信部２０がスライド信号を受信していないと判断された場合には、液晶テレビジョン２の制御が終了される。なお、第２実施形態の液晶テレビジョン２のその他の制御は、第１実施形態と同様である。
【００９６】
第２実施形態では、上記のように、リモートコントローラ２０１にポインタ５ｈを表示画面部２３に表示させるためのスライド部２１６を設けることによって、スライド部２１６をスライドさせることによってポインタ５ｈを表示画面部２３に表示させることができるので、ポインタ５ｈを表示させるための操作ボタンを設ける必要がない。なお、第２実施形態のその他の効果は、第１実施形態と同様である。
【００９７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９８】
たとえば、上記第１および第２実施形態では、液晶テレビジョン２を含む映像装置に本発明を適用した例を示したが、本発明はこれに限らず、たとえば、パーソナルコンピュータなどのように、リモートコントローラと映像機器（ディスプレイ）とを備えた映像装置であれば本発明を適用することができる。
【００９９】
また、上記第１および第２実施形態では、リモートコントローラが前方向であるＸ２方向に押されることによって選択解除されるとともに、リモートコントローラが後方向であるＸ１方向に引かれることによって選択決定されるように構成した例を示したが、本発明はこれに限らず、リモートコントローラが前方向であるＸ２方向に押されることによって選択決定されるとともに、リモートコントローラが後方向であるＸ１方向に引かれることによって選択解除されるように構成してもよい。
【０１００】
また、上記第１および第２実施形態では、メニュアイコン４ａおよび６ａを、リモートコントローラと同一の形状（六角柱形状）を有するように表示画面部２３に表示させた例を示したが、本発明はこれに限らず、メニュアイコンは、リモートコントローラとは異なる形状を有するように表示画面部に表示させてもよい。
【０１０１】
また、上記第１および第２実施形態では、メニュアイコン４ａおよび６ａを、リモートコントローラと同一の六角柱形状を有するように表示画面部２３に表示させた例を示したが、本発明はこれに限らず、メニュアイコンおよびリモートコントローラは、六角柱形状に限られず、四角柱形状や、八角柱形状、円柱形状などでもよいし、柱形状を有していなくてもよい。
【０１０２】
また、上記第１および第２実施形態では、第２選択画面５において、第１表示領域５ａを中央に広がる位置に配置するとともに、第２表示領域５ｃを第２選択画面５の上部に配置した例を示したが、本発明はこれに限らず、第１表示領域および第２表示領域の配置は特に限定されない。
【０１０３】
また、上記第１および第２実施形態では、第２選択画面５において、サムネイル画像５ｂによって、表示画像を表示するように構成した例を示したが、本発明はこれに限らず、たとえば、文章などによって、表示画像を表示するように構成してもよい。
【０１０４】
また、上記第１および第２実施形態では、運動検出部１１がＸ軸加速度センサ１１ａ、Ｙ軸加速度センサ１１ｂおよびＺ軸加速度センサ１１ｃからなる例を示したが、本発明はこれに限らず、運動検出部を加速度センサ以外のセンサからなるように構成してもよい。たとえば、ジャイロセンサや、地磁気センサなどを組み合わせることによって、３軸方向の動きを検出するように構成してもよい。また、２軸方向の動きを検出する運動検出部を用いてもよい。
【０１０５】
また、上記第１および第２実施形態では、第２選択画面５においてのみ、ポインタ５ｈを表示させて、リモートコントローラを後方向であるＸ１方向に引くことによって選択決定した例を示したが、本発明はこれに限らず、第１選択画面または第３選択画面においても、ポインタを表示させた状態で、リモートコントローラの前後方向の動作により選択決定するように構成してもよい。
【０１０６】
また、上記第１および第２実施形態では、赤外線送信部１５と赤外線受信部２０とは、赤外線通信によって、送受信する例を示したが、本発明はこれに限らず、送信部と受信部との送受信の方法は赤外線に限定されず、赤外線通信以外のたとえば電波などを用いる無線通信によって送受信するように構成してもよい。
【０１０７】
また、上記第１および第２実施形態では、操作者がリモートコントローラを後方向であるＸ１方向に引くことによって、第１選択画面４において、メニュアイコン４ａを表示画面部２３に表示した例を示したが、本発明はこれに限らず、その他の動きによって、メニュアイコンを表示画面部に表示させてもよい。
【０１０８】
また、上記第１および第２実施形態では、第１選択画面４として、メニュアイコン４ａが表示画像４０に重なるように表示画面部２３に表示した例を示したが、本発明はこれに限らず、第１選択画面として、表示画像を表示させずにメニュアイコンのみを表示させるように構成してもよい。
【０１０９】
また、上記第１実施形態では、ポインタ５ｈを表示させるために、リモートコントローラ１を上方向に２度連続して動かした例を示したが、本発明はこれに限らず、リモートコントローラのその他の動きによって、ポインタを表示させるように構成してもよい。たとえば、下方向に一定の加速度で動かすことによって、ポインタを表示させるように構成してもよい。
【図面の簡単な説明】
【０１１０】
【図１】本発明の第１実施形態による映像装置の全体構成を示した図である。
【図２】図１に示した映像装置のリモートコントローラの構成を示した斜視図である。
【図３】図１に示した映像装置のリモートコントローラの構成を示した正面図である。
【図４】図１に示した映像装置のリモートコントローラの構成を示した側面図である。
【図５】図１に示した映像装置のリモートコントローラの内部構成を示すブロック図である。
【図６】図１に示した映像装置の液晶テレビジョンの内部構成を示すブロック図である。
【図７】本発明の第１実施形態による映像装置の表示画像選択動作を説明するための図である。
【図８】本発明の第１実施形態による映像装置の表示画像選択動作を説明するための図である。
【図９】本発明の第１実施形態による映像装置の表示画像選択動作を説明するための図である。
【図１０】本発明の第１実施形態による映像装置の表示画像選択動作を説明するための図である。
【図１１】本発明の第１実施形態による映像装置の表示画像選択動作を説明するための図である。
【図１２】本発明の第１実施形態による映像装置の表示画像選択動作を説明するための図である。
【図１３】本発明の第１実施形態による映像装置の表示画像選択動作を説明するための図である。
【図１４】本発明の第１実施形態による映像装置の表示画像選択動作を説明するための図である。
【図１５】本発明の第１実施形態による映像装置の表示画像選択動作を説明するための図である。
【図１６】本発明の第１実施形態による映像装置の表示画像選択動作を説明するための図である。
【図１７】本発明の第１実施形態による映像装置のリモートコントローラの制御フローを説明するための図である。
【図１８】本発明の第１実施形態による映像装置の液晶テレビジョンの制御フローを説明するための図である。
【図１９】本発明の第１実施形態による映像装置の液晶テレビジョンの制御フローを説明するための図である。
【図２０】本発明の第１実施形態による映像装置の液晶テレビジョンの制御フローを説明するための図である。
【図２１】本発明の第２実施形態による映像装置の全体構成を示した図である。
【図２２】図２１に示した映像装置のリモートコントローラの構成を示した斜視図である。
【図２３】図２１に示した映像装置映像装置のリモートコントローラの構成を示した側面図である。
【図２４】本発明の第２実施形態による映像装置のリモートコントローラの構成を示すブロック図である。
【図２５】本発明の第２実施形態による映像装置の表示画像選択動作を説明するための図である。
【図２６】本発明の第２実施形態による映像装置の表示画像選択動作を説明するための図である。
【図２７】本発明の第２実施形態による映像装置のリモートコントローラの制御フローを説明するための図である。
【図２８】本発明の第２実施形態による映像装置の液晶テレビジョンの制御フローを説明するための図である。
【符号の説明】
【０１１１】
１、２０１  リモートコントローラ
２  液晶テレビジョン（映像機器、テレビジョン）
４  第１選択画面
４ａ  メニュアイコン（第１グラフィカルユーザインタフェース）
４ｂ  選択項目
５  第２選択画面
５ｂ  サムネイル画像（第２グラフィカルユーザインタフェース）
５ｄ、５ｅ、５ｆ、５ｇ  検索アイコン（第２グラフィカルユーザインタフェース）
５ｈ  ポインタ
６ａ  メニュアイコン（第１グラフィカルユーザインタフェース）
６ｂ  選択項目
１１  運動検出部
１５  赤外線送信部（動作信号送信部）
２０  赤外線受信部（動作信号受信部）
２３  表示画面部
２４  ＨＤＤ（記憶部）
１００、２００  映像装置
２１６  スライド部
【図１】
2010157930.tif 000003
【図２】
2010157930.tif 000004
【図３】
2010157930.tif 000005
【図４】
2010157930.tif 000006
【図５】
2010157930.tif 000007
【図６】
2010157930.tif 000008
【図７】
2010157930.tif 000009
【図８】
2010157930.tif 000010
【図９】
2010157930.tif 000011
【図１０】
2010157930.tif 000012
【図１１】
2010157930.tif 000013
【図１２】
2010157930.tif 000014
【図１３】
2010157930.tif 000015
【図１４】
2010157930.tif 000016
【図１５】
2010157930.tif 000017
【図１６】
2010157930.tif 000018
【図１７】
2010157930.tif 000019
【図１８】
2010157930.tif 000020
【図１９】
2010157930.tif 000021
【図２０】
2010157930.tif 000022
【図２１】
2010157930.tif 000023
【図２２】
2010157930.tif 000024
【図２３】
2010157930.tif 000025
【図２４】
2010157930.tif 000026
【図２５】
2010157930.tif 000027
【図２６】
2010157930.tif 000028
【図２７】
2010157930.tif 000029
【図２８】
2010157930.tif 000030